(57)【要約】      （修正有）【課題】複数の空気清浄機をスタッキングして適用床面積を増やせると共に、電力と制御も連結できる空気清浄機を提供する。【解決手段】空気清浄機は、装置本体１０と、連結差込モジュール２０と、連結スロットモジュール３０とを含む。装置本体は電源制御モジュール及び電源入力ユニット１２を備え、電源入力ユニットは配電幹線と接続されると共に電源制御モジュールと電気的に接続される。連結差込モジュールは装置本体の頂面に設置され、電源出力インターフェース２１を備える。連結スロットモジュールは装置本体の底面に設置され、電源入力インターフェース３１を備える。電源出力インターフェース及び電源入力インターフェースは電源制御モジュールと電気的に接続される。一つの空気清浄機の連結差込モジュールをもう一つの空気清浄機の連結スロットモジュールに差し込むことで、一つの空気清浄機からもう一つの空気清浄機に電力を提供する。【選択図】図５
0003225147.tif 000002
【実用新案登録請求の範囲】
【請求項１】
装置本体と、連結差込モジュールと、連結スロットモジュールとを含む、連結機能を有する空気清浄機であって、
前記装置本体は電源制御モジュール及び電源入力ユニットを備え、且つ前記電源入力ユニットは配電幹線と接続されると共に前記電源制御モジュールと電気的に接続され、
前記連結差込モジュールは前記装置本体の頂面に設置され、且つ電源出力インターフェースを備え、前記電源出力インターフェースは前記電源制御モジュールと電気的に接続され、
前記連結スロットモジュールは前記装置本体の底面に設置され、且つ電源入力インターフェースを備え、前記電源入力インターフェースは前記電源制御モジュールと電気的に接続され、
一つの前記空気清浄機の前記連結差込モジュールが、もう一つの前記空気清浄機の前記連結スロットモジュールに差し込むことで、前記空気清浄機の電源制御モジュールがもう一つの前記空気清浄機の電源制御モジュールと電気的に接続されることになり、前記空気清浄機から電力をもう一つの前記空気清浄機に提供することを特徴とする、連結機能を有する空気清浄機。
【請求項２】
前記連結スロットモジュールは、前記装置本体の背面に設置された一対のスライドレールと、コ字型の形状を有するスライドハンドルを含み、前記スライドハンドルの両端は前記一対のスライドレール中に差し込むと共に、前記装置本体の内部に位置する前記電源入力インターフェースと接続することを特徴とする、請求項１記載の連結機能を有する空気清浄機。
【請求項３】
前記装置本体の頂面には開口を有し、前記開口の位置は前記電源出力インターフェースと対応し、前記装置本体はさらに可動カバーを有し、前記可動カバーの一端は前記開口の一端に軸着されることを特徴とする、請求項２記載の連結機能を有する空気清浄機。
【請求項４】
前記スライドハンドルは第一位置決め部を有し、且つ前記装置本体の背面には第二位置決め部を有し、前記第二位置決め部の位置は前記第一位置決め部の位置に対応すると共に、前記装置本体の頂面に相隣することを特徴とする、請求項２記載の連結機能を有する空気清浄機。
【請求項５】
前記装置本体の背面には第三位置決め部を有し、前記第三位置決め部の位置は前記第一位置決め部の位置に対応すると共に、前記装置本体の底面に相隣することを特徴とする、請求項４記載の連結機能を有する空気清浄機。
【請求項６】
前記装置本体はさらにワイヤレス受信モジュール及び制御モジュールを含み、前記ワイヤレス受信モジュールは前記装置本体の前面に設置され、前記制御モジュールは前記装置本体の内部に設置され、且つ前記制御モジュールは前記ワイヤレス受信モジュール及び前記電源制御モジュールと電気的に接続されることを特徴とする、請求項１記載の連結機能を有する空気清浄機。
【請求項７】
一つの前記空気清浄機がもう一つの前記空気清浄機と連結した時、そのうち一つの前記空気清浄機の前記ワイヤレス受信モジュールが制御信号を受信し、前記制御モジュールは前記制御信号に基づいて２つの前記空気清浄機の作動を制御することを特徴とする、請求項６記載の連結機能を有する空気清浄機。
【請求項８】
前記装置本体の頂面にはアクティブ検知ユニットが設置され、且つ前記装置本体の底面にはパッシブ検知ユニットが設置され、一つの前記空気清浄機がもう一つの前記空気清浄機と連結し、且つその一つの前記空気清浄機の前記アクティブ検知ユニットがそのもう一つの前記空気清浄機の前記パッシブ検知ユニットを検知した時、前記アクティブ検知ユニットは接続信号を前記制御モジュールに伝送することを特徴とする、請求項６記載の連結機能を有する空気清浄機。
【考案の詳細な説明】
【技術分野】
【０００１】
本考案は空気清浄機の領域に関し、特に複数台の空気清浄機を一体的に連結できる連結機能を有する空気清浄機に関する。
【背景技術】
【０００２】
現在、科学技術の更新に連れて、ユーザーが電子装置を選択する時は、多様の機能を求めると共に、操作と拡張の便利さも考慮することになるので、家電製品もこの傾向に向けて発展しつつある。
【０００３】
空気清浄機に関しては、従来の空気清浄機の多くは小型化または固定式の機体であるため、一部のユーザーにとって、二台の空気清浄機を購入してそれぞれベッドルームなどの空間に置けば、ちょうど空気浄化の目的を果たせられる。しかし、もしユーザーがリビングルームなどの空間に空気浄化をしたいなら、元々ベッドルームなどの空間に置かれる一台の空気清浄機をリビングルームなどの空間に移しても、十分な浄化効果が得られない可能性がある。その一方、ベッドルームなどの空間に置かれる空気清浄機を二台同時にリビングルームなどの空間に移した場合は、互いに組み合わせることができないので、二台それぞれ一定の空間を占拠して美観的によろしくない状況になる。その結果、ユーザーはまたその空間のサイズ（床面積）に適用できる空気清浄機を購入、或いは同時に二台の空気清浄機を使用することに妥協するしかないので、ユーザーにとっては非常に面倒な状況である。よって、もし複数台の空気清浄機が互いに組み合わせて一体にすることができれば、上記の問題を有効的に解決できる他、実用性と利便性を増すことができる。
【０００４】
故に、空気清浄機の構造を如何に改良して一体に組み合わせる機能を備えさせるかは、当領域がまだ解決していない問題である。
【考案の概要】
【考案が解決しようとする課題】
【０００５】
本考案の目的は、連結機能を有する空気清浄機を提供することで、上記の従来技術に存在する問題や不便を解決することにある。
【課題を解決するための手段】
【０００６】
上記目的を達成するための本考案に係る連結機能を有する空気清浄機は、装置本体と、連結差込モジュールと、連結スロットモジュールとを含む。装置本体は電源制御モジュール及び電源入力ユニットを備え、且つ電源入力ユニットは配電幹線と接続されると共に電源制御モジュールと電気的に接続される。連結差込モジュールは装置本体の頂面に設置され、且つ電源出力インターフェースを備える。連結スロットモジュールは前記装置本体の底面に設置され、且つ電源入力インターフェースを備える。電源出力インターフェース及び電源入力インターフェースは電源制御モジュールと電気的に接続される。そのうち、一つの空気清浄機の連結差込モジュールがもう一つの空気清浄機の連結スロットモジュールに差し込むことで、２つの空気清浄機の電源制御モジュールが電気的に接続を果たすことにより、一つの空気清浄機から電力をもう一つの空気清浄機に提供する。
【０００７】
好ましくは、前記連結スロットモジュールは前記装置本体の背面に設置された一対のスライドレールと、コ字型の形状を有するスライドハンドルを含み、前記スライドハンドルの両端は前記一対のスライドレール中に差し込むと共に、前記装置本体内部に位置する前記電源入力インターフェースと接続する。
【０００８】
好ましくは、前記装置本体の頂面には開口を有し、前記開口の位置は前記電源出力インターフェースと対応し、前記装置本体はさらに可動カバーを有し、前記可動カバーの一端は前記開口の一端に軸着される。
【０００９】
好ましくは、前記スライドハンドルは第一位置決め部を有し、且つ前記装置本体の背面には第二位置決め部を有し、前記第二位置決め部の位置は前記第一位置決め部の位置に対応すると共に、前記装置本体の頂面に相隣する。
【００１０】
好ましくは、前記装置本体の背面には第三位置決め部を有し、前記第三位置決め部の位置は前記第一位置決め部の位置に対応すると共に、前記装置本体の底面に相隣する。
【００１１】
好ましくは、前記装置本体はさらにワイヤレス受信モジュール及び制御モジュールを含み、前記ワイヤレス受信モジュールは前記装置本体の前面に設置され、前記制御モジュールは前記装置本体の内部に設置され、且つ前記制御モジュールは前記ワイヤレス受信モジュール及び前記電源制御モジュールと電気的に接続される。
【００１２】
好ましくは、一つの前記空気清浄機がもう一つの前記空気清浄機と連結した時、そのうち一つの前記空気清浄機の前記ワイヤレス受信モジュールが制御信号を受信し、前記制御モジュールは前記制御信号に基づいて２つの前記空気清浄機の作動を制御する。
【００１３】
好ましくは、前記装置本体の頂面にはアクティブ検知ユニットが設置され、且つ前記装置本体の底面にはパッシブ検知ユニットが設置され、一つの前記空気清浄機がもう一つの前記空気清浄機と連結し、且つその一つの前記空気清浄機の前記アクティブ検知ユニットがそのもう一つの前記空気清浄機の前記パッシブ検知ユニットを検知した時、前記アクティブ検知ユニットは接続信号を前記制御モジュールに伝送する。
【００１４】
本考案の上記目的、特徴及び利点をより理解しやすくするために、具体的な実施例を添付図面に参照しながら以下に説明する。
【図面の簡単な説明】
【００１５】
【図１】図１は、本考案の連結機能を有する空気清浄機の第一構造概略図である。
【図２】図２は、本考案の連結機能を有する空気清浄機のブロック図である。
【図３】図３は、本考案の連結機能を有する空気清浄機の第二構造概略図である。
【図４】図４は、本考案の連結機能を有する空気清浄機の第三構造概略図である。
【図５】図５は、本考案の連結機能を有する空気清浄機の連結第一概略図である。
【図６】図６は、本考案の連結機能を有する空気清浄機の連結第二概略図である。
【図７】図７は、本考案の連結機能を有する空気清浄機のもう一つの実施例の概略図である。
【考案を実施するための形態】
【００１６】
本考案の特徴、内容、メリット及び達成できる効果をより明確に理解できるように、本考案について、添付図面を参照して、実施例という表現形式で以下のとおりに詳しく説明する。以下で使用される図面は、単に要旨を示し、明細書の説明を補助するためのものに過ぎないので、添付される図面のスケールと配置関係等により、本考案の請求範囲を解釈、限定すべきではない。
【００１７】
添付図面ないし本明細書において、同じ符号は同じ部品を表す。ここで理解すべきことは、ある部品が他の部品の「上」または他の部品に「接続」や「設置」された場合は、直接その部品の上またはその部品と直接に接続することができるが、その間に他の部品を介在することも可能である。その逆に、ある部品が「直接他の部品の上に」または「直接他の部品に接続」する場合は、その間に介在する部品は存在しないことである。ここで使用する「接続」や「設置」とは、物理及び／または電気的に接続や設置されることを指すことができる。また、「電気的に接続」または「カップリング」とは、２つの部品の間に他の部品を介在することができる。そして、ここで使用する「第一」、「第二」、「第三」という用語は、説明の目的のみに使用するものであり、相対的な重要性や順番を表すことを意図したものと解釈すべきでない。
【００１８】
図１ないし図６を参照し、それは本考案の連結機能を有する空気清浄機に関する概略図である。
【００１９】
図に示すように、本考案の連結機能を有する空気清浄機１は、装置本体１０、連結差込モジュール２０及び連結スロットモジュール３０を含む。そのうち、装置本体１０電源制御モジュール１１及び電源入力ユニット１２を備え、且つ電源入力ユニット１２は配電幹線と接続されると共に、電源制御モジュール１１と電気的に接続される。連結差込モジュール２０は装置本体１０の頂面に設置され、且つ電源出力インターフェース２１を備え、電源出力インターフェース２１は電源制御モジュール１１と電気的に接続され、その電気的に接続する方法は、物理的な伝送線路による接続などで実行できる。連結スロットモジュール３０は前記装置本体１０の底面に設置され、且つ電源入力インターフェース３１を備え、電源入力インターフェース３１は電源制御モジュール１１と電気的に接続され、その電気的に接続する方法は、物理的な伝送線路による接続などで実行できる。
【００２０】
上述した構造の配置により、空気清浄機１（以下、第一空気清浄機と称す）の連結差込モジュール２０が、もう一つの空気清浄機１（以下、第二空気清浄機と称す）の連結スロットモジュール３０に差し込む時、第一空気清浄機の電源制御モジュール１１が第二空気清浄機の電源制御モジュール１１と電気的に接続されることになり、第一空気清浄機から電力を第二空気清浄機に提供することになり、二台の空気清浄機１が共に作動する電力を得ることができる。
【００２１】
さらに、連結スロットモジュール３０は一対のスライドレール２２を含み、この一対のスライドレール２２は装置本体１０の背面に設置される。連結スロットモジュール３０はさらにスライドハンドル２３を含み、このスライドハンドル２３は概ねコ字型の形状を有するため、ハンドル部と２つの端部を有する。そのうち、ハンドル部は押し引きの時に握る部分であり、スライドハンドル２３の両端は一対のスライドレール中に差し込むと共に、装置本体１０内部に位置する電源入力インターフェース３１と接続する。
【００２２】
ちなみに、スライドハンドル２３の両端が電源入力インターフェース３１と接続する方法は、ボルト・ナット締結または嵌合など当該領域の技術者がよく知られる手段で実現できる。また、電源出力インターフェース２１及び電源入力インターフェース３１は互いに対応するコネクタとポートにすることができる。
【００２３】
また、装置本体１０の頂面には開口１３を有し、開口１３の位置は電源出力インターフェース２１と対応する。装置本体１０はさらに可動カバー１４を有し、可動カバー１４の一端は開口１３の一端に軸着されることができる。なお、可動カバー１４と開口１３の一端が軸着された処は、開けた可動カバー１４を自動的に復帰するようにバネなどの手段を付け加えることができる。
【００２４】
スライドハンドル２３の両端は、固定された形式で電源入力インターフェース３１と接続されるため、ユーザーがスライドハンドル２３を引いてスライドレール２２に沿って上下に移動する時、電源入力インターフェース３１もそれに連動して上下に移動する。電源入力インターフェース３１がスライドハンドル２３に連動して上方に向けて移動する場合、電源入力インターフェース３１は可動カバー１４を押し上げて可動カバー１４を開放状態にする。そして、電源入力インターフェース３１は装置本体１０の外部に露出することで、もう一つの空気清浄機１と連結することができる。
【００２５】
また、連結する必要がない時は、電源入力インターフェース３１はスライドハンドル２３に連動して下方に向けて移動することで、装置本体１０の内部に戻ることができる。その場合、可動カバー１４を押し上げる外力がなくなったので、可動カバー１４が復帰して再び開口１３を覆うため、きれいな外観を保つことができる。
【００２６】
また特筆すべきことは、スライドハンドル２３は第一位置決め部２３１を有し、且つ装置本体１０の背面には第二位置決め部１５１を有し、第二位置決め部１５１の位置は第一位置決め部２３１の位置に対応すると共に、装置本体１０の頂面に相隣する。
【００２７】
ちなみに、装置本体１０の背面には第三位置決め部１５２を有し、第三位置決め部１５２の位置は第一位置決め部２３１の位置に対応すると共に、装置本体１０の底面に相隣する。そのうち、第一位置決め部２３１が凸部にして、第二位置決め部１５１及び第三位置決め部１５２が凹部にすることができる。
【００２８】
上述した第一位置決め部２３１、第二位置決め部１５１及び第三位置決め部１５２の設置により、ユーザーがスライドハンドル２３を引いてスライドレール２２に沿って上方に移動した時に、第一位置決め部２３１の凸部が第二位置決め部１５１の凹部に嵌めることでスライドハンドル２３の位置をそのまま固定されるため、２つの空気清浄機１の連結が円滑的に行うことができる。同じように、ユーザーがスライドハンドル２３を引いてスライドレール２２に沿って下方の所定位置に移動した時に、第一位置決め部２３１の凸部が第三位置決め部１５２の凹部に嵌めることになる。
【００２９】
一方、装置本体１０はさらにワイヤレス受信モジュール１６及び制御モジュール１７を含む。ワイヤレス受信モジュール１６は装置本体１０の前面に設置され、制御モジュール１７は装置本体１０の内部に設置され、且つ制御モジュール１７はワイヤレス受信モジュール１６及び電源制御モジュール１１と電気的に接続される。
【００３０】
第一空気清浄機が第二空気清浄機と連結した時、そのうち一つの空気清浄機１のワイヤレス受信モジュール１６が制御信号１６１を受信し、制御モジュール１７は制御信号１６１に基づいて２つの空気清浄機１の作動を制御する。例えば、第一空気清浄機が第二空気清浄機の上方に連結した時、第一空気清浄機のワイヤレス受信モジュール１６が制御信号１６１を受信することで、第一空気清浄機の制御モジュール１７が制御信号１６１に基づいて第一空気清浄機及び第二空気清浄機を制御する。よって、ユーザーは一つのリモコンで二台の空気清浄機の作動（オン、オフまたはモード切替）を同時に制御することができる。
【００３１】
また、装置本体１０の頂面にはアクティブ検知ユニット１８１が設置され、且つ装置本体１０の底面にはパッシブ検知ユニット１８２が設置され、一つの空気清浄機１がもう一つの空気清浄機１と連結し、且つその一つの空気清浄機１のアクティブ検知ユニット１８１がそのもう一つの空気清浄機１のパッシブ検知ユニット１８２を検知した時、アクティブ検知ユニット１８１は接続信号１８１１を制御モジュール１７に伝送する。ちなみに、アクティブ検知ユニット１８１がホール素子であり、パッシブ検知ユニット１８２が赤鉄または別の金属素子、或いは磁気素子であることができる。
【００３２】
この時、制御モジュール１７は接続信号１８１１に基づいて二台の空気清浄機の信号接続が成功するかどうかを判断できる。
【００３３】
図７に参照して、それは本考案の連結機能を有する空気清浄機のもう一つの実施例の概略図である。
【００３４】
本実施例において特に言及してない要素の配置と働きは、前述の実施例と類似するため、その説明を省略する。
【００３５】
図に示すように、本実施例が前述の実施例との主な違いは、適用床面積を増やすように三台の空気清浄機１を連結することにある。
【００３６】
ちなみに、第二空気清浄機を第三空気清浄機の上方に連結し、第一空気清浄機を第二空気清浄機の上方に連結した場合は、第一空気清浄機のワイヤレス受信モジュール１６が制御信号１６１を受信し、第一空気清浄機の制御モジュール１７が制御信号１６１に基づいて第一空気清浄機、第二空気清浄機及び第三空気清浄機を制御することになる。よって、ユーザーは一つのリモコンで三台の空気清浄機の作動（オン、オフまたはモード切替）を同時に制御することができる。
【００３７】
上述した実施例より、本考案の連結機能を有する空気清浄機の連結台数は二台に限定することはなく、場合によっては三台、増して四台や五台の連結も可能である。
【００３８】
以上により、本考案の連結機能を有する空気清浄機は、上述した構造の配置により、ユーザーが需要に応じて第一空気清浄機の連結差込モジュールを第二空気清浄機の連結スロットモジュールに差し込むことができる。これによって二台の空気清浄機をスタッキングして適用床面積を増やせると共に、空間の利用と外観にもメリットがある。そして、二台の空気清浄機の電力と制御も連結できることによって、二台それぞれ部屋の電源に接続または二台それぞれを制御する必要はなくなるので、使用上の利便性も備える。
【００３９】
以上に述べた実施例は、本考案の好ましい実施例に過ぎず、これにより本考案の請求範囲を限定するべきではない。また、本考案に記載される内容の均等な変化又は修飾は、本考案の請求範囲に包含されるべきである。
【符号の説明】
【００４０】
１：空気清浄機
１０：装置本体
１１：電源制御モジュール
１２：電源入力ユニット
１３：開口
１４：可動カバー
１５１：第二位置決め部
１５２：第三位置決め部
１６：ワイヤレス受信モジュール
１６１：制御信号
１７：制御モジュール
１８１：アクティブ検知ユニット
１８１１：接続信号
１８２：パッシブ検知ユニット
２０：連結差込モジュール
２１：電源出力インターフェース
２２：スライドレール
２３：スライドハンドル
２３１：第一位置決め部
３０：連結スロットモジュール
３１：電源入力インターフェース
【図１】
0003225147.tif 000003
【図２】
0003225147.tif 000004
【図３】
0003225147.tif 000005
【図４】
0003225147.tif 000006
【図５】
0003225147.tif 000007
【図６】
0003225147.tif 000008
【図７】
0003225147.tif 000009